(57)【特許請求の範囲】
【請求項１】
撮像部と、
前記撮像部により撮影を行う撮影機能を実行する制御部と、を有し、
前記制御部は、前記撮影機能を実行する場合には、前記撮像部の画像処理により認識された画像データに基づいて、撮影対象に付された文字情報を囲む枠が撮影範囲内に納まったことが検出されると自動的に撮影を行なう、ことを特徴とする携帯端末装置。
【請求項２】
前記撮影対象に付された文字情報を囲む枠は、矩形の枠である、ことを特徴とする請求項１に記載の携帯端末装置。
【請求項３】
前記制御部は、前記撮影機能を実行する場合には、手ぶれ状態に応じて自動的に撮影を行う、ことを特徴とする請求項１又は２に記載の携帯端末装置。
【発明の詳細な説明】
【技術分野】
【０００１】
本発明は、撮像機能を含む複数の機能を備えた携帯端末装置に関するものである。
【背景技術】
【０００２】
従来において、撮像機能を含む複数の機能を備えた携帯端末装置があった（例えば、特許文献１参照）。
【先行技術文献】
【特許文献】
【０００３】
【特許文献１】特開２００３−２１１８６７号公報
【発明の概要】
【発明が解決しようとする課題】
【０００４】
しかしながら、このような携帯端末装置においては、撮影機能のさらなる充実化が望まれていた。
【課題を解決するための手段】
【０００５】
上記課題を解決するために本発明は、撮像部と、前記撮像部により撮影を行う撮影機能を実行する制御部と、を有し、前記制御部は、前記撮影機能を実行する場合には、前記撮像部の画像処理により認識された画像データに基づいて、撮影対象に付された文字情報を囲む枠が撮影範囲内に納まったことが検出されると自動的に撮影を行なう、ことを特徴とするものである。
【０００６】
また、前記撮影対象に付された文字情報を囲む枠は、矩形の枠であってもよい。
また、前記制御部は、前記撮影機能を実行する場合には、手ぶれ状態に応じて自動的に撮影を行うようになっていてもよい。
【発明の効果】
【０００７】
本発明による携帯端末装置によれば、撮影機能のさらなる充実化を図ることができる。
【図面の簡単な説明】
【０００８】
【図１】本発明の一実施の形態に係る紙の取扱説明書４を示す図であって、その一頁を開いた状態を示す部分平面図である。
【図２】図１中の画面表示用説明部６の一つを示す拡大平面図である。
【図３】本発明の一実施の形態に係る撮像機能付き携帯電話機２の回路構成を示すブロック図である。
【図４】取扱説明書４中の画面表示用説明部６を、撮像機能付き携帯電話機２の第１記憶部３０内に記憶させるときの処理手順を示すフローチャートである。
【図５】本発明の一実施の形態に係る撮像機能付き携帯電話機２の外観を示す図であって、画面表示用説明部６の撮影中の状態を示す部分平面図である。
【発明を実施するための形態】
【０００９】
以下、本発明に係る、携帯端末装置及び携帯端末装置用取扱説明書の実施の形態について、図面に基づいて具体的に説明する。
【００１０】
図１ないし図５は、本発明の一実施の形態に係る撮像機能付き携帯電話機２（携帯端末装置に相当）、及びその取扱説明書４（携帯端末装置用取扱説明書に相当）について説明するために参照する図である。
【００１１】
図１は、本実施の形態に係る紙の取扱説明書４であって、複数の画面表示用説明部６が印刷（記載）されている頁を開いた状態を示す部分平面図である。ここで、画面表示用説明部６とは、図２に示すように、後述するような撮像機能付き携帯電話機２が有する様々な機能についての機能の名称８、この機能に対応する操作等の説明が記載された説明部１０、及びこの機能に対応付けられた機能コード１２を含んで構成されているものをいう。
【００１２】
それぞれの画面表示用説明部６は、その機能の名称８、説明部１０、及び機能コード１２等の記載されている領域が、矩形の点線の枠６ａで囲まれている。図示しないが、取扱説明書４には、その複数の頁にわたって各頁ごとに、このような複数の画面表示用説明部６が印刷（記載）されている。
【００１３】
画面表示用説明部６の機能コード１２は、文字若しくは図形又はこれらの組合せで構成されており、このような機能コード１２としては、例えば、機能ごとに異なるように割当てられたアルファベット等を矩形の枠で囲んだ記号を用いることができる。
【００１４】
また、画面表示用説明部６の枠６ａは、その縦横の寸法比率が、後述する撮像機能付き携帯端末装置２の撮像部３４により撮影される画像（撮影範囲）の縦横の寸法比率とほぼ同じ寸法比率になっている。
【００１５】
図３は、本実施の形態に係る撮像機能付き携帯電話機２の回路構成を示すブロック図である。同図に示すように、撮像機能付き携帯電話機２は、アンテナに接続された無線部２０、操作部２２、表示部２４、スピーカー２６、マイクロホン２８、第１記憶部３０、第２記憶部３２、撮像部３４、及びこれらを制御する制御部３６を備えている。
【００１６】
撮像部３４には、ＣＣＤ（Ｃｈａｒｇｅ  Ｃｏｕｐｌｅｄ  Ｄｅｖｉｃｅ）等の撮影素子が用いられており、撮像部３４により撮影した画像データは、第１記憶部３０に記憶されるようになっている。
【００１７】
また、第１記憶部３０内には、ユーザーの操作又は制御部３６の制御動作により、記憶するデータの種類等に対応するフォルダが新たに生成されたり、削除されたりするようになっている。撮像部３４により撮影した画像データは、第１記憶部３０内の複数のフォルダのいずれかに記憶されるようになっている。
【００１８】
また、撮像機能付き携帯電話機２は、通話機能や撮像機能の他にも、例えば、電子メールの送受信機能、オートパワーオン機能、オートパワーオフ機能、アラーム機能、電卓機能、及び取扱説明書撮影機能等を備えており、第２記憶部３２には、この撮像機能付き携帯電話機２が備えるそれぞれの機能に対応して定められた、図２に示す画面表示用説明部６の機能コード１２と同一の機能コード１２や、撮像機能付き携帯電話機２の動作プログラムが予め記憶されている。
【００１９】
ここで、取扱説明書撮影機能とは、撮像機能付き携帯電話機２に実装されている画像認識エンジンを使って、撮像部３４により撮影した画像データが、取扱説明書のデータであるのか否かを判断し、画像データが取扱説明書のデータである場合には、その画像データを第１記憶部３０に記憶するようになっている機能をいう。
【００２０】
次に、図４に示すフローチャートに基づいて、図１及び図２に示す取扱説明書４中の画面表示用説明部６を、撮像機能付き携帯電話機２の第１記憶部３０内に記憶させるときの処理手続について説明する。
【００２１】
取扱説明書４において、ユーザーがまだ習得していない機能の操作方法が記載されている画面表示用説明部６を、撮像機能付き携帯電話機２の第１記憶部３０内に記憶させる場合には、ユーザーは、取扱説明書撮影機能を起動させ、撮像部３４を用いて、その画面表示用説明部６を撮影する（図４中、ステップＳ１）。
【００２２】
図５に示すように、撮像機能付き携帯電話機２は、その表示部２４が配置される筐体３８の表示部２４の表示面とは反対側の背面に、不図示の撮像部３４（図３参照）が配置されており、この不図示の撮像部３４が撮影する画像が、ファインダーとして機能する表示部２４に表示されるようになっている。
【００２３】
ユーザーは、取扱説明書４の所望の画面表示用説明部６を撮影する際には、表示部２４に表示される画面表示用説明部６中の文字等が認識することができる程度の大きさとなるように撮影距離等を調節してから、その撮影を行なうようにする。
【００２４】
撮影が行なわれると、制御部３６は、この撮影した画像データに対して画像処理等を行ない、撮影した画像データである画面表示用説明部６の所定位置に記されている機能コード１２を抽出し、第２記憶部３２を参照して、撮影した画像内に機能コード１２が含まれているかどうかを判断するようになっている（図４中、ステップＳ２）。
【００２５】
撮影した画像内から機能コード１２が検出された場合には（ステップＳ２のＹＥＳ）、制御部３６は、この画像が画面表示用説明部６であると認識して、第１記憶部３０内の専用フォルダに記憶させるようになっている（ステップＳ３）。
【００２６】
また、制御部３６は、このステップＳ３において、第１記憶部３０内の専用フォルダに、画面表示用説明部６の画像が２つ以上記憶されることとなったときには、それぞれの機能コード１２を一定の規則に基づいて比較し、この専用フォルダ内の画面表示用説明部６の順番を並べ替えるようになっている（同じくステップＳ３）。例えば、機能コード１２にアルファベットが用いられている場合には、この機能コード１２がアルファベット順となるように、画面表示用説明部６を並べ替えるようになっている。
【００２７】
また、ステップＳ３において、第１記憶部３０内に画面表示用説明部６の画像を記憶させるための専用フォルダが存在しない場合には、制御部３６は、この第１記憶部３０内に専用フォルダを生成してから、この専用フォルダに画面表示用説明部６の画像を記憶させるようになっている。
【００２８】
また、制御部３６は、ステップＳ２において、撮影した画像内から機能コード１２を検出しなかった場合には（ステップＳ２のＮＯ）、その画像を第１記憶部３０における専用フォルダとは別のフォルダ等に記憶させるようになっている（ステップＳ４）。
【００２９】
このような撮像機能付き携帯電話機２の使用方法としては、ユーザーが、第１記憶部３０の専用フォルダ内に記憶された画面表示用説明部６の画像を、表示部２４に表示させる操作を行なった場合には、制御部３６は、図５に示すような、この画面表示用説明部６の撮影時と同じ状態で、表示部２４に表示させるようになっている。このため、取扱説明書４を携帯しなくても、まだ操作方法を習得していない撮像機能付き携帯電話機２の機能の説明を参照して操作することができる。
【００３０】
このような本実施の形態に係る撮像機能付き携帯電話機２、及びその取扱説明書４によれば、ユーザーは、操作により、撮像機能付き携帯電話機２の第１記憶部３０の専用フォルダ内に記憶させた画面表示用説明部６の画像を、図５に示すような、この画面表示用説明部６の撮影時と同じ状態で、表示部２４に容易に表示させることができるので、取扱説明書４を携帯しなくても、まだ操作方法を習得していない撮像機能付き携帯電話機２の機能の説明を参照して操作することができる。
【００３１】
また、取扱説明書４の画面表示用説明部６の枠６ａは、その縦横の寸法比率が、撮像機能付き携帯電話機２の撮像部３４により撮影される画像（撮影範囲）の縦横の寸法比率とほぼ同じ寸法比率になっているので、図５に示すように、この画面表示用説明部６の全体が撮像部３４の撮影範囲内に丁度納まるような状態にして撮影することができるため、撮影後においてこの画面表示用説明部６の画像を参照する際には、この画面表示用説明部６の画像を表示部２４に大きく表示して見やすくすることができる。
【００３２】
また、前記従来の撮像機能付き携帯端末装置であっても、ユーザーが個人的に、その取扱説明書中の記載を撮影することにより、この撮影画像を撮像機能付き携帯端末装置内の記憶部に記憶させておくことはできたが、記憶した画像を整理することができないという問題があった。
【００３３】
これに対して、本実施の形態に係る撮像機能付き携帯電話機２、及びその取扱説明書によれば、撮影した画面表示用説明部６の画像が、撮像機能付き携帯電話機２の第１記憶部３０の専用フォルダ内に集中的に記憶されることにより整理されるようになっているため、この第１記憶部３０の専用フォルダ内に記憶された画面表示用説明部６の画像についての検索や管理を容易にすることができる。
【００３４】
また、撮像機能付き携帯電話機２の第１記憶部３０の専用フォルダ内に記憶された画面表示用説明部６の画像は、その機能コード１２に基づいて並べ替えられるようになっているので、例えば、操作により、この画面表示用説明部６の画像を、表示部２４に紙の取扱説明書４に記載されているのと同じ順番に切り替えて表示させるようにすることができるため、第１記憶部３０の専用フォルダ内に記憶させた画面表示用説明部６の画像についての検索や管理が容易になる。
【００３５】
なお、本実施の形態では、図１，２に示すように、画面表示用説明部６内に機能の名称８が含まれていたが、画面表示用説明部６は、この機能の名称８が含まれないような構成になっていてもよい。
【００３６】
また、このような場合には、さらに撮像機能付き携帯電話機２の第２記憶部３２内に、機能コード１２と一緒に、この機能コード１２に対応する機能の名称を予めテーブル形式で記憶させておくと共に、撮影して第１記憶部３０の専用フォルダ内に記憶した、機能の名称８を含まないで構成される画面表示用説明部６の画像を表示部２４に表示させる操作が行なわれたときに、制御部３６が、その画面表示用説明部６の機能コード１２に対応する機能の名称を、第２記憶部３２から引出して、表示部２４内に一緒に表示させるようになっていてもよい。
【００３７】
また、本実施の形態では、図２に示すように、機能コード１２として、アルファベットと矩形の枠の図形が組合された記号を用いるようになっていたが、他の種類の文字や図形等が用いられて構成されていてもよい。例えば、機能コード１２として、バーコード等が用いられるようになっていてもよい。
【００３８】
また、本実施の形態では、機能コード１２は、機能の種類ごとに異なる記号が割当てられていたが、機能の種類によらず同一の記号が割当てられていてもよい。なお、このような場合には、制御部３６は、本実施の形態と異なり、図４中のステップＳ３において、機能コード１２に基づく専用フォルダ内の画面表示用説明部６の順番の並べ替えを行なわない。
【００３９】
また、本実施の形態では、第１記憶部３０と第２記憶部３２を有するようになっていたが、これらが統合された一つの記憶部を有するようになっていてもよい。このような場合には、この統合された一つの記憶部内に、本実施の形態における第１記憶部３０、及び第２記憶部３２のそれぞれに相当するような領域が割り付けられるようになることはいうまでもない。
【００４０】
また、本実施の形態では、撮像部３４で撮影した画像に機能コード１２が含まれているかどうかに基づいて、制御部３６が、この画像が画面表示用説明部６であるかどうかを判断すると共に（図４中、ステップＳ２）、この画像が画面表示用説明部６である場合には、この画面表示用説明部６の画像を第１記憶部３０の専用フォルダに記憶させるようになっていたが（図４中、ステップＳ３）、必ずしも専用フォルダに記憶させなくても構わない。
【００４１】
また、このような本実施の形態とは異なる他の実施の形態では、取扱説明書撮影モードの動作中に限って、制御部３６が、撮像部３４の撮影範囲に画面表示用説明部６が納まったことや、手ぶれがないこと等を画像処理等により検出して、自動的に撮影するよう制御するようになっていてもよい。
【００４２】
また、本実施の形態では、撮像機能付き携帯電話機２に対して本発明を適用した場合について説明したが、携帯型の撮像装置、ＰＨＳ（Ｐｅｒｓｏｎａｌ  Ｈａｎｄｙ  ｐｈｏｎｅ  Ｓｙｓｔｅｍ）、及びＰＤＡ（Ｐｅｒｓｏｎａｌ  Ｄｉｇｉｔａｌ  Ａｓｓｉｓｔａｎｔ）のような、他の撮像機能付き携帯端末装置についても本発明を適用することができることはいうまでもない。
【符号の説明】
【００４３】
２  撮像機能付き携帯電話機
４  取扱説明書
６  画面表示用説明部
６ａ  枠
８  機能の名称
１０  説明部
１２  機能コード
２０  無線部
２２  操作部
２４  表示部
２６  スピーカー
２８  マイクロホン
３０  第１記憶部
３２  第２記憶部
３４  撮像部
３６  制御部
３８  筐体
【図１】
0004809462.tif 000002
【図２】
0004809462.tif 000003
【図３】
0004809462.tif 000004
【図４】
0004809462.tif 000005
【図５】
0004809462.tif 000006